(57)【要約】【課題】コンタクトレンズを装着するときに視界が遮られないようにし、装着時の不安感をなくしたコンタクトレンズ装着具を提供すること。【解決手段】コンタクトレンズを載置する載置部12と、この載置部12から棒状に延伸する把持杆16とからなり、  前記載置部12は、環状又は環の一部を切開した形状に形成されると共に、厚さ方向に貫通する開口部14を備えており、  当該開口部14は、コンタクトレンズの凸状面の一部を受容する大きさに形成されているコンタクトレンズ装着具とする。【選択図】図１
2013148604.tif 000002
【特許請求の範囲】
【請求項１】
コンタクトレンズを載置する載置部12と、この載置部12から棒状に延伸する把持杆16とからなり、
前記載置部12は、環状又は環の一部を切開した形状に形成されると共に、厚さ方向に貫通する開口部14を備えており、
当該開口部14は、コンタクトレンズの凸状面の一部を受容する大きさに形成されていることを特徴とする、コンタクトレンズ装着具。
【請求項２】
前記把持杆16はゴムその他の柔軟性を有する樹脂で形成されており、前記載置部12の開口部の開口面が展開する方向の外側に向かって延伸している、請求項１に記載のコンタクトレンズ装着具。
【請求項３】
前記載置部12は、開口部14の内径が３ｍｍ以上１４ｍｍ以下である環状に形成されている、請求項１又は２に記載のコンタクトレンズ装着具。
【発明の詳細な説明】
【技術分野】
【０００１】
本発明はコンタクトレンズを装着するための器具に関し、特に指にコンタクトレンズを載せる場合とは異なり、精神的な抵抗や恐怖心なく、確実に装着できるようにしたコンタクトレンズ装着具に関する。
【背景技術】
【０００２】
従来、コンタクトレンズの装着に際しては、コンタクトレンズの凹面を上にして指先にのせてゆっくりと目に近づけ、鏡等を見ながら、黒目（角膜）に載せるようにして装着されている。
【０００３】
しかしながら、コンタクトレンズを指先に載せて装着する方法では、コンタクトレンズの載置状態が不安定である為、指先からコンタクトレンズが脱落したり、そのため紛失したりしやすく、指先の爪によりコンタクトレンズを傷つけたり、装着時に眼球に損傷を与える等の問題が検討されていた。
【０００４】
そこで此れまでには、コンタクトレンズを装着するための器具も提案されている。例えば特許文献１（実開昭５７−２６２２４号公報）では、スポイト方式と吸盤の改造したものと結合した方式であり、吸盤の改造した型のようにクランク型に曲げてあり、吸盤部分で緩衝装置部分に弾力を付けて緩衝装置としてあるコンタクトレンズ着脱器が提案されている。
【０００５】
また特許文献２（実開平２−５３７１８号公報）では、把持部と、該把持部から傾角をもって延びる軸部とからなり、該軸部の先端に形成されたレンズ載置面の差し渡しが４〜８ｍｍの範囲にあり、かつ前記載置面が平面または緩やかな凸面形状に形成されてなるコンタクトレンズ装着具が提案されている。
【０００６】
更に特許文献３（特開平１０−２４０５７号公報）では、弾力性のあるゴムで上を吸盤型に下をひょうたん型にし、吸盤と下のひょうたん部分の間に小さな穴を明け、吸盤でコンタクトレンズを脱着するように構成したコンタクトレンズ装着器が提案されている。
【先行技術文献】
【特許文献】
【０００７】
【特許文献１】実開昭５７−２６２２４号公報
【特許文献２】実開平２−５３７１８号公報
【特許文献３】特開平１０−２４０５７号公報
【発明の概要】
【発明が解決しようとする課題】
【０００８】
上記特許文献に係る技術によれば、コンタクトを別途形成した器具により保持することから、確実にコンタクトを保持することができ、また指の爪などによりコンタクトや眼球に損傷を与えてしまうといった問題は解決することができる。
【０００９】
しかしながら、コンタクトレンズを装着する際の視界は、コンタクトレンズを保持する器具によって遮られるので、眼球の適正な位置にコンタクトレンズを装着するのが難しく、またコンタクトレンズを保持する器具が目に迫ってくる事による圧迫感及び不安感を生じさせるものとなっていた。
【００１０】
そこで本発明では、コンタクトレンズを装着するときに視界が遮られないようにし、装着時の不安感をなくしたコンタクトレンズ装着具を提供することを第一の課題とする。
【００１１】
また、コンタクトレンズの使用者が幼い場合や高齢の場合には、目に指先が迫ってくる事による圧迫感や恐怖感から、自分でコンタクトレンズを装着するのは困難である。このような場合には、第三者がコンタクトレンズを装着してあげることが必要になるが、従前のコンタクトレンズ装着具では、装着時において黒目（角膜）とコンタクトレンズとの相対位置を確認することが困難であることから、第三者がコンタクトレンズを装着してあげるには、慣れや経験が必要になってしまう。
【００１２】
そこで本発明は、第三者がコンタクトレンズを装着する場合であっても、黒目（角膜）の位置を確認しながら、正しい位置に的確に装着することができるようにしたコンタクトレンズ装着具を提供することを第二の課題とする。
【００１３】
更に、近年普及してきている使い捨てのコンタクトレンズは、通常のソフトコンタクトより薄いことから、従前のコンタクトレンズ装着具のように、吸盤によって保持する場合には、変形してしまうなどの問題も考えられる。
【００１４】
そこで本発明では、このようなコンタクトレンズの変形の問題を解決したコンタクトレンズ装着具を提供することを第三の課題とする。
【課題を解決するための手段】
【００１５】
上記課題の少なくとも何れかを解決するために、本発明ではコンタクトレンズを装着する為に使用するコンタクトレンズ装着具であって、装着時に於いても十分な視界を確保することのできるコンタクトレンズ装着具を提供する。
【００１６】
即ち、コンタクトレンズを載置する載置部と、この載置部12から棒状に延伸する把持杆とからなり、前記載置部は、環状又は環の一部を切開した形状（例えば「Ｃ字状」）に形成されると共に、厚さ方向に貫通する開口部を備えており、当該開口部は、コンタクトレンズの凸状面の一部を受容する大きさに形成されていることを特徴とするコンタクトレンズ装着具を提供する。
【００１７】
上記把持部は使用者が手に持つ部分であり、棒状乃至はロッド状に形成されており、直線状であるか或いは一部または全部を曲折させた形状に形成することができる。また載置部は、円環状の他、開口部の展開する面に直行する向きの平面視（即ち、水平断面形状）が楕円形、三角形、四角形その他の多角形形状に形成する他、星形、ハート形等の各種の意匠形状を有する環状に形成する事もできる。また、これら各種形状の環状に形成された場合に於いて、その一部を切開した形状、例えばＣ字状に形成することもできる。更に当該載置部は、その縦断面形状が円形である他、楕円形状、三角形、四角形その他の多角形形状に形成することができる。特に、載置したコンタクトレンズに対する局地的な負荷を減じる為には、縦断面形状が円形である事が望ましい。
【００１８】
上記コンタクトレンズ装着具は、樹脂、布帛、紙などの各種の材料で形成することも可能であるが、望ましくは柔軟性を有する合成樹脂または天然樹脂を用いて形成する。コンタクトレンズの装着時に於いて、意図しない力が加わり眼球に押し付けられた場合であっても、眼球に損傷を与えないようにする為である。
【００１９】
また、上記コンタクトレンズ装着具において、前記把持杆はゴムその他の柔軟性を有する樹脂で形成されている事が望ましい。コンタクトレンズを装着する際、使用者は当該コンタクトレンズ装着具の把持部を持って使用する事になるが、装着時に於いて意図しない力が加えられたとしても、当該把持部の変形により、その衝撃を緩衝することができる為である。
【００２０】
そして前記把持杆は、前記載置部における開口部の開口面が展開する方向の外側に向かって延伸している事が望ましい。このように形成する事により、把持部の長さ方向に沿う向きに変形しやすくなり、意図しない衝撃時に於いても眼球に対する損傷を極力減じることができる為である。ここで、載置部における開口部の開口面が展開する方向の外側とは、載置部が円環状に形成されている場合には、その径方向外側に向かって真っすぐ、あるいは斜め上方又は斜め下方に延伸している事が望ましい。
【００２１】
また、本発明に係るコンタクトレンズ装着具において、コンタクトレンズを載せる為の前記載置部は、開口部の内径が３ｍｍ以上１４ｍｍ以下、望ましくは８ｍｍ以上１２ｍｍ以下程度に形成するのが良い。開口部の内径が３ｍｍ未満であると、眼球の瞳孔の多くの意部を塞いでしまうことから、装着時における圧迫感が高まってしまう為である。一方、１４ｍｍを超える場合には、コンタクトレンズを載せ置くのに困難が生じてしまう為である。
【００２２】
また環状に形成される載置部は、環状に形成された部分の太さが外径１ｍｍ以上４ｍｍ以下、望ましくは１ｍｍ以上２ｍｍ以下に形成されるのが良い。この部分が太く形成されると、装着時における圧迫感が高まってしまう為である。
【発明の効果】
【００２３】
上記本発明に係るコンタクトレンズ装着具は、コンタクトレンズを載置する載置部と、この載置部から棒状に延伸する把持杆とからなり、前記載置部は環状に形成されており、その開口部でコンタクトレンズの凸状面の一部を受容するものとして構成している事から、コンタクトレンズの装着時に於いて、コンタクトレンズは開口部に載せ置かれ、開口部の存在により視界が遮られる事は無くなることから、圧迫感等を生じさせることなく、安心して装着できるようになる。またコンタクトレンズを他人が装着してあげる場合に於いても、当該開口部を介して黒目（角膜）の場所や眼球までの距離を確認しながらコンタクトレンズを装着できるようになる。更に、コンタクトレンズ環状に形成された載置部に載せ置かれるだけであり、吸引により保持するものではないことから、レンズ厚が薄く形成されている使い捨てのコンタクトレンズであっても、変形させることなく装着することが可能である。
【００２４】
また前記把持杆を、ゴムその他の柔軟性を有する樹脂で形成し、当該把持杆を、載置部の開口面が展開する方向の外側に向かって延伸するように構成する事により、コンタクトレンズの装着に際して意図しない外力が加わったり、力加減を誤ったりした場合であっても、眼球を強く押し付けてしまうといった不具合を無くす事ができる。
【００２５】
更に前記載置部を、開口部の内径が３〜１５ｍｍである環状に形成した場合には、コンタクトレンズの変形を無くし、かつ装着時における視界を確保することができるので、コンタクトレンズを装着するときにおける使用者の不安感や圧迫感を解消することができる。
【図面の簡単な説明】
【００２６】
【図１】第一の実施の形態に係るコンタクトレンズ装着具を示す斜視図
【図２】図１に示したコンタクトレンズ装着具の縦断面図
【図３】図１に示したコンタクトレンズ装着具の使用状態を示す略図
【図４】他の実施の形態に係るコンタクトレンズ装着具を示す縦断面図
【図５】更に他の実施の形態に係るコンタクトレンズ装着具を示す斜視図
【図６】更に他の実施の形態に係るコンタクトレンズ装着具を示す平面図
【発明を実施するための形態】
【００２７】
以下、図面を参照しながら、本実施の形態に係るコンタクトレンズ装着具10を具体的に説明する。
【００２８】
先ず図１は第一の実施の形態に係るコンタクトレンズ装着具10を示す斜視図である。この図に示すコンタクトレンズ装着具10は、コンタクトレンズ20を載せ置く為に円環状に形成された載置部12と、この載置部12から斜め下方に延伸する棒状の把持杆16とで構成されており、何れの部位も柔軟性を有する樹脂材料で形成されている。この載置部12と把持杆16とは、例えば射出成型などによって一体形成する他、載置部12と把持杆16とを夫々別に形成し、両者を接着剤で接着したり、あるいは両者を融着する事により一体形成することができる。例えば、当該載置部12と把持杆16は、ブタジエンゴム、スチレン樹脂、シリコン樹脂、ナイロン樹脂等の各種の樹脂材料を用いて形成することができる。
【００２９】
この図１に示したコンタクトレンズ装着具10において、載置部12は円環状であって、その開口部14の展開面に直行する向きの断面形状（縦断面形状）は大凡円形に形成されている。即ち、本実施の形態に於いて、当該載置部12はトロイダル形状に形成されている。
【００３０】
図２は、この図１に示したコンタクトレンズ装着具10の縦断面図を示している。この図２に示すように、載置部12の大きさは、載せ置くコンタクトレンズ20の大きさとの関係に於いて適宜選択することができる。例えばソフトコンタクトレンズの場合には、その直径の大きさ（Ｌ１）が約14ｍｍであることから、当該載置部12における開口部14の内径（Ｌ３）は、これを載せ置く事ができるように、最大でも約14ｍｍ、望ましくは８ｍｍ以上１２ｍｍ以下に形成するのが良い。またこの載置部12の外径の大きさ（Ｌ２）は、載せ置くコンタクトレンズの大きさを超えないか、超えたとしても１〜２ｍｍ程度である事が望ましい。この載置部12の外径をあまりにも大きくしてしまうと、コンタクトレンズの装着に際して、この載置部12自体が邪魔になってしまう為である。特に、この載置部12の大きさについては、当該載置部12を傾斜させた状態でコンタクトレンズを保持した場合であっても、当該コンタクトレンズがズレる事が無いように形成する場合には、載置部12の外径（Ｌ３）をコンタクトレンズの外径（Ｌ１）と略同じ大きさに形成し、載置部12の開口部14の大きさ（Ｌ３）をコンタクトレンズの外径（Ｌ１）よりも小さく形成するのが良い。また、ハードコンタクトレンズについて使用する場合には、載置部の大きさは、上記の様にして一般的なハードコンタクトレンズの大きさ（直径約9ｍｍ）に合わせて、適宜形成することができる。
【００３１】
図３は、上記図１に示したコンタクトレンズ装着具10の使用状態を示す略図であり、この図に示すように、当該コンタクトレンズ装着具10の使用に際しては、載置部12にコンタクトレンズを載せ置き、使用者が把持杆16を持って載置部12を目に近付けるようにして使用する。この時、載置部12には開口部14が形成されていることから、視界を確保することができ、これにより圧迫感等に基づく恐怖心を取り除くことができる。また、子供にコンタクトレンズを装着してあげる場合等には、使用者は把持杆16を持って、装着される者の目とコンタクトレンズとの相対的な距離や位置関係を確認しながらコンタクトレンズを目に近付けることができる為、装着位置のずれ等が生じることなく、安心してコンタクトレンズを装着してあげることができる。
【００３２】
図４は他の実施の形態に係るコンタクトレンズ装着具10を示す縦断面図である。この図４に示すコンタクトレンズ装着具10は、特に把持杆16の形状が前記実施の形態に示したものとは異なっており、即ち曲折した把持杆16を有するコンタクトレンズ装着具10として具体化したものである。この実施の形態における把持杆16は、載置部12から当該載置部12の厚さ方向に延伸する直線部分と、この直線部分から外側に向かって斜めに曲折した傾斜部分と、この傾斜部分の先端から載置部12の厚さ方向に延伸する直線部分と構成されており、大凡クランク状に形成されている。このように形成する事によっても、当該傾斜部分の存在により、把持杆16は、載置部12の開口面の展開する方向の外側に向かって延伸することができ、依って当該傾斜部分の存在により、コンタクトレンズ装着時における余分な力を緩衝させることができる。
【００３３】
図５は更に他の実施の形態に係るコンタクトレンズ装着具10を示す斜視図である。この図５に示すコンタクトレンズ装着具10は、把持杆16の形状が前記実施の形態に示したものとは異なっており、把持杆16における載置部12とは反対側の端部を二股に形成している。この二股に形成した部分は、例えば、コンタクトレンズ収納ケースからコンタクトレンズを取り出す場合のピンセットの様にして使用することができ、或いは眼球に装着したコンタクトレンズを取り出す際に使用する事もできる。よって、このような機能を確保する為にも、当該把持杆16は柔軟性を有する材料で形成されるのが望ましい。
【００３４】
更に上記した実施の形態に示す各コンタクトレンズ装着具10において、載置部12の一部は、コンタクトレンズを載せ置く事ができる限りに於いて切開されていても良い。例えば図６（Ａ）に示すように円環状に形成された載置部12の一部、具体的には把持杆16の形成部分と対向する部分などを切開して略Ｃ字状に形成する事もできる。また図６（Ｂ）に示すように、平面視が四角形の環状の一部を切開した形状とする事もできる。
【００３５】
なお、上記した幾つかの実施の形態は、本発明に係るコンタクトレンズ装着具10を具体的にした例であり、本発明に係るコンタクトレンズ装着具10は、上記の実施の形態にとらわれることなく、その趣旨を逸脱しない範囲に於いて適宜変更することができる。
【産業上の利用可能性】
【００３６】
本発明に係るコンタクトレンズ装着具10は、コンタクトレンズ装着の為の付属品として利用することができ、日用品としてのみならず、医療器具の用途に於いても幅広く利用することができる。
【符号の説明】
【００３７】
10    コンタクトレンズ装着具
12    載置部
14    開口部
16    把持杆
20    コンタクトレンズ
【図１】
2013148604.tif 000003
【図２】
2013148604.tif 000004
【図３】
2013148604.tif 000005
【図４】
2013148604.tif 000006
【図５】
2013148604.tif 000007
【図６】
2013148604.tif 000008